(57)【要約】【課題】建物の梁等に断熱材等の部材を設ける作業を効率的に行うことができるボード取付金物および建物の室内構造を提供する。【解決手段】このボード取付金物１は、ボードが取り付けられる下地となる本体部１１と、建物躯体である梁２に係合して取り付けられる取付部１２と、上記梁２に近接させて配置する被保持材であるロックウール５を保持する保持部１３と、を備える。上記取付部１２は、上下に２箇所形成されており、上下フランジ間で突っ張るように設けられる。同様に、上記保持部１３も上下に２箇所形成されている。【選択図】図２
2019173391.tif 000002
【特許請求の範囲】
【請求項１】
ボードが取り付けられる下地となる本体部と、建物躯体である横架部材に係合して取り付けられる取付部と、上記横架部材に近接させて配置する被保持材を保持する保持部と、を備えることを特徴とするボード取付金物。
【請求項２】
請求項１に記載のボード取付金物において、上記保持部は、上記本体部の側面側に位置する保持面部と、上記被保持材を上記保持面部の側に押圧する押圧部とを備えることを特徴とするボード取付金物。
【請求項３】
請求項２に記載のボード取付金物において、上記押圧部は、上記保持面部をなす板材の一部に切り込みを入れて折り曲げた部位から成ることを特徴とするボード取付金物。
【請求項４】
請求項１〜請求項３のいずれか１項に記載のボード取付金物において、上記保持部は、上記被保持材を受け入れる開口を、上記本体部の側に向けていることを特徴とするボード取付金物。
【請求項５】
請求項１〜請求項４のいずれか１項に記載のボード取付金物において、上記横架部材に取り付けられる部材との干渉を回避する切欠き部が形成されていることを特徴とするボード取付金物。
【請求項６】
被保持材が保持された請求項１〜請求項５のいずれか１項に記載のボード取付金物が、建物躯体である横架部材に設けられていることを特徴とする建物の室内構造。
【請求項７】
請求項６に記載の建物の室内構造において、横架部材が交差する箇所の下側に、室内の出隅部が形成されており、この出隅部の上方側に、上記被保持材が保持されたボード取付金物が取り付けられていることを特徴とする建物の室内構造。
【請求項８】
請求項６または請求項７に記載の建物の室内構造において、横架部材同士を連結するジョイント部材が設けられており、上記横架部材と上記ジョイント部材の接合箇所の近傍が上記被保持材で覆われるように上記ボード取付金物が設けられていることを特徴とする建物の室内構造。
【発明の詳細な説明】
【技術分野】
【０００１】
この発明は、例えば、建物の梁に壁用ボードを取り付けるための下地にすることができるボード取付金物および建物の室内構に関する。
【背景技術】
【０００２】
特許文献１には、溶接およびボルト固定が不要で簡易に配設可能であり、壁体立設作業における工数及びコストを削減することが可能なボード取付金物が開示されている。具体的には、上記ボード取付金物は、ボードが固定される本体部と、この本体部の上側端辺及び下側端辺のうち少なくとも一方から突出する係止部とを有して構成される。上記係止部の自由端側は、板バネ部として構成されており、この板バネ部により、梁の上下フランジ部間を突っ張ることによって固定される。
【先行技術文献】
【特許文献】
【０００３】
【特許文献１】特許第５５０１８７３号
【発明の概要】
【発明が解決しようとする課題】
【０００４】
しかしながら、上記従来の技術は、建物の梁等に配置される断熱材等の部材を設ける作業や構造については何ら開示していない。
【０００５】
この発明は、建物の梁等に断熱材等の部材を設ける作業を効率的に行うことができるボード取付金物および建物の室内構造を提供することを課題とする。
【課題を解決するための手段】
【０００６】
この発明は、上記の課題を解決するために、ボードが取り付けられる下地となる本体部と、建物躯体である横架部材に係合して取り付けられる取付部と、上記横架部材に近接させて配置する被保持材を保持する保持部と、を備えることを特徴とする。
【０００７】
上記の構成であれば、上記横架部材に取り付けられる上記ボード取付金物の上記保持部によって断熱材等の被保持材を上記横架部材に近接させて保持させることができる。
【０００８】
上記保持部は、上記本体部の側面側に位置する保持面部と、上記被保持材を上記保持面部の側に押圧する押圧部とを備えていてもよい。これによれば、上記押圧部による押圧によって上記被保持材をしっかりと保持することができる。
【０００９】
上記押圧部は、上記保持面部をなす板材の一部に切り込みを入れて折り曲げた部位から成っていてもよい。これによれば、上記押圧部と上記保持面部とを別部材で構成するのに比べて、作製が容易であり、またコスト低減が容易になる。
【００１０】
上記保持部は、上記被保持材を受け入れる開口を、上記本体部の側に向けていてもよい。これによれば、上記ボード取付金物を上記横架部材に取り付けた状態で、上記被保持材を上記開口に押し込む作業によって上記保持部に保持させることができる。
【００１１】
上記横架部材に取り付けられる部材との干渉を回避する切欠き部が形成されていてもよい。これによれば、上記横架部材に水平ブレース等の部材が取り付けられるような場合でも、支障なく上記ボード取付金物を上記横架部材に取り付けることができる。
【００１２】
また、この発明の建物の室内構造は、被保持材が保持された上記ボード取付金物が、建物躯体となる横架部材に設けられていることを特徴とする。
【００１３】
上記建物の室内構造において、横架部材が交差する箇所の下側に、室内の出隅部が形成されており、この出隅部の上方側に、上記被保持材が保持されたボード取付金物が取り付けられていてもよい。
【００１４】
上記建物の室内構造において、横架部材同士を連結するジョイント部材が設けられており、上記横架部材と上記ジョイント部材の接合箇所の近傍が上記被保持材で覆われるように上記ボード取付金物が設けられていてもよい。
【発明の効果】
【００１５】
本発明であれば、断熱材等の被保持材を建物躯体である梁等に設ける作業を効率的に行うことができるという効果を奏する。
【図面の簡単な説明】
【００１６】
【図１】同図（Ａ）、（Ｂ）は、実施形態にかかる建物の室内構造の施工段階を示した説明図である。
【図２】同図（Ａ）、（Ｂ）は、実施形態にかかる建物の室内構造の施工段階を示した説明図である。
【図３】同図（Ａ）は、実施形態にかかる建物の室内構造における梁交差部の平面視の説明図であり、同図（Ｂ）は同断面視の説明図である。
【図４】実施形態にかかるボード取付金物を示した正面図、平面図および両側面図である。
【図５】図１のボード取付金物の斜視図である。
【図６】図１のボード取付金物の斜視図である。
【図７】他の実施形態にかかる建物の室内構造を示した説明図である。
【図８】他の実施形態にかかる建物の室内構造を示した説明図である。
【発明を実施するための形態】
【００１７】
以下、この発明の一態様に係る実施形態を添付図面に基づいて説明する。図１（Ａ）、（Ｂ）および図２（Ａ）、（Ｂ）は、この実施形態のボード取付金物１および、このボード取付金物１が取り付けられる胴差レベル位置の梁（横架部材）２の梁交差箇所を示している。この梁交差箇所には、略Ｔ字所に交差する梁２Ａ、２Ｂによる交差部１０１が存在している。上記梁２は例えばＨ形鋼からなっており、その上フランジおよび下フランジの各々には所定配置で複数の貫通孔２ａが形成されている。
【００１８】
また、上記交差部１０１においては、石こうボード等のボードからなる界壁４１と界壁４２が上記梁２Ａから上記梁２Ｂにかけて形成されており、これら梁のうち梁２Ａの側であって、上記梁２Ｂの接合側と反対の側に、ボード取付金物１が取り付けられる。そして、上記交差部１０１の下位置（ボード取付金物１の下側）に、上記界壁４１と界壁４２とが交差する出隅が形成される。
【００１９】
また、図３（Ａ）、（Ｂ）にも示すように、上記ボード取付金物１によって、上記梁２に近接して配置される被保持材であるロックウール５が保持される。このロックウール５は、例えば、断熱性、耐火性、遮音性を有する。
【００２０】
上記ボード取付金物１は、図４、図５および図６にも示すように、ボードが取り付けられる下地となる本体部１１と、上記梁２に係合して取り付けられる取付部１２と、上記ロックウール５を保持する保持部１３と、を備えている。なお、上記ボード取付金物１の他、上記梁２には、ボード取付専用金物が取り付けられる。このボード取付専用金物は、ボードが取り付けられる下地となる本体部と、上記梁に係合して取り付けられる取付部のみを備えている。
【００２１】
上記ボード取付金物１は、例えば、亜鉛メッキが施された鋼板からなり、この鋼板の折り曲げ加工によって形成されている。上記本体部１１は略平板形状を有しており、上記ボードを取り付けるための釘等が打ち込めるようになっている。
【００２２】
上記取付部１２は、上記本体部１１の上側と下側の２箇所において、上記本体部１１に形成された袋状留め部によって留め付けられている。各取付部１２は、上側であれば斜め上に、下側であれば斜め下に張り出す弾性張出部１２ａと、この弾性張出部１２ａから上側または下側に突出するように形成された半円状突起１２ｂとを備える。上記半円状突起１２ｂは、上記梁２の上フランジまたは下フランジの上記貫通孔２ａに嵌る形状を有する。上記ボード取付金物１の取り付けにおいては、例えば、このボード取付金物１の下側を上記下フランジに近づけ、下側の弾性張出部１２ａの上記半円状突起１２ｂを下フランジの上記貫通孔２ａに差し込んだ後、上記ボード取付金物１の上側を上フランジの側に押し当てて、上側の弾性張出部１２ａの半円状突起１２ｂを上フランジの上記貫通孔２ａに嵌合させる。これにより、上記ボード取付金物１は、上下の弾性張出部１２ａの弾性によって、上記梁２の上下フランジ間を突っ張るようにして固定されることになる。なお、上記本体部１１の上端は上フランジの縁面に当接し、上記本体部１１の下端は下フランジの縁面に当接できるようになっている。
【００２３】
上記保持部１３は、上記本体部１１の上側と下側の２箇所に設けられている。各保持部１３は、上記本体部１１の側面側に当該本体部１１から延設された保持面部１３ａと、上記ロックウール５を上記保持面部１３ａの側に押圧する押圧部１３ｂとを備える。上記押圧部１３ｂは、上記保持面部１３ａをなす中央側の部位の一部に切り込みを入れて折り曲げた部位から成る。また、上記保持部１３は、上記ロックウール５を受け入れる開口を、上記本体部１１の側に向けている。
【００２４】
また、上記ボード取付金物１には、上記梁２に取り付けられる部材との干渉を回避する切欠き部１４が形成されている。この切欠き部１４は、上記２箇所の保持部１３の間の箇所において、上記保持面部１３ａとなる部分をそれぞれ本体部１１側に折り曲げることによって形成されており、この折り曲げ部が本体部１１の裏面に当たることで、上記保持面部１３ａの本体部１１側への傾倒に対する剛性向上も図られている。もちろん、上記切欠き部１４が形成されない構造を採用することもできる。
【００２５】
上記の構成であれば、上記取付部１２によって上記梁２に取り付けられたボード取付金物１の上記保持部１３によって上記ロックウール５を上記梁２に近接させて保持させることができる。
【００２６】
上記保持部１３が、上記本体部１１の側面側に位置する保持面部１３ａと、上記ロックウール５を上記保持面部１３ａの側に押圧する押圧部１３ｂとを備えると、上記押圧部１３ｂによる押圧によって上記ロックウール５をしっかりと保持することができる。
【００２７】
上記押圧部１３ｂが、上記保持面部１３ａをなす部位の一部に切り込みを入れて折り曲げた部位から成っていると、上記押圧部１３ｂと上記保持面部１３ａとを別部材で構成するのに比べて、作製が容易であり、またコストを低減することができる。
【００２８】
上記保持部１３が、上記ロックウール５を受け入れる開口を、上記本体部１１の側に向けていると、上記ボード取付金物１を上記梁２に取り付けた状態で、上記ロックウール５を上記開口に押し込む作業によって上記保持部１３に保持させることができる。上記開口が上記本体部１１の側に向いていなくてもよいものであり、この場合、先に上記ロックウール５を上記保持部１３に保持させてからボード取付金物１を上記梁２に取り付ける手順を用いることができる。なお、上記開口が上記本体部１１の側に向いていれば、上記貫通孔２ａの視認がやり易くなる。
【００２９】
図７に示す他の部屋構造においては、柱８上のジョイントボックス（ジョイント部材）８１の３面に梁２Ｃ，２Ｄ，２Ｅが接合板２５を介して取り付けられている。そして、上記接合板２５に設けられた水平板部材に水平ブレース７がボルト固定されている。かかる構造においては、上記梁２に取り付けられる水平ブレース７等の部材との干渉を回避する切欠き部１４が上記ボード取付金物１に形成されているので、上記梁２に上記水平ブレース７等の部材が取り付けられる場合でも、支障なく上記ボード取付金物１を上記梁２に取り付けることができる。なお、この部屋構造においても、先述した界壁４１，４２と同様、界壁４１Ａと界壁４２Ａが形成されるとともに、これら界壁４１Ａと界壁４２Ａが交差する出隅が形成される。
【００３０】
図８に示す他の部屋構造においては、上記ジョイントボックス８１の上記３面以外の面に水平配置でつなぎ部材６が設けられた構造となっている。
【００３１】
また、図示はしないが、上記梁２は胴差レベルの梁に限らず、屋根梁でもよい。また、この場合において、屋根梁同士を連結するジョイントボックスに屋根トラスを設ける構造とすることもできる。
【００３２】
また、上記の例では、上記ボード取付金物１における上記取付部１２は、上下フランジ間で突っ張ることで取り付けられる構造としたが、上フランジおよび下フランジをそれぞれ挟持する挟持部を備えるものでもよい。また、位置保持が可能なスライド片を上記貫通孔２ａに差し込む構造のものでもよい。
【００３３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３４】
１      ：ボード取付金物
２      ：梁
２Ａ    ：梁
２Ｂ    ：梁
２Ｃ    ：梁
２Ｄ    ：梁
２Ｅ    ：梁
２ａ    ：貫通孔
５      ：ロックウール
６      ：つなぎ部材
７      ：水平ブレース
８      ：柱
１１    ：本体部
１２    ：取付部
１２ａ  ：弾性張出部
１２ｂ  ：半円状突起
１３    ：保持部
１３ａ  ：保持面部
１３ｂ  ：押圧部
１４    ：切欠き部
２５    ：接合板
４１    ：界壁
４１Ａ  ：界壁
４２    ：界壁
４２Ａ  ：界壁
８１    ：ジョイントボックス（ジョイント部材）
１０１  ：交差部
【図１】
2019173391.tif 000003
【図２】
2019173391.tif 000004
【図３】
2019173391.tif 000005
【図４】
2019173391.tif 000006
【図５】
2019173391.tif 000007
【図６】
2019173391.tif 000008
【図７】
2019173391.tif 000009
【図８】
2019173391.tif 000010